(57)【特許請求の範囲】
【請求項１】
飲み物用の保持容器（1）であって、可撓性の内部保持容器（3）を挿入するための口部（7）が設けられている剛性の外部保持容器（2）を具備し；該口部（7）上に設けられるように設計されておりかつ該内部保持容器（3）の連結要素（4）に連結されるように設計されているアダプター（5）も具備し；この方式によって、該口部（7）上に直接設けられるには小さすぎる連結要素（4）を備えた内部保持容器（3）が、それにも関わらず該口部（7）上に設けられることが可能であり；該外部保持容器（2）および該アダプター（5）には、それらの連結時にそれらの互いの位置をロックするための相補形の第一手段（9、26）が備えられており、該ロックは繰り返し元に戻すことができ、該保持容器（1）は、連結要素（4）が設けられている可撓性の内部保持容器（3）であって、該連結要素（4）および該アダプター（5）が共に連結できるようになっている、内部保持容器（3）も具備し、該連結要素（4）および該アダプター（5）には、それらの連結時にそれらの互いの位置をロックするための相補形の第二手段（17、27）が備えられており、ここで該ロックは繰り返し元に戻すことができ、該第一手段（9、26）および該第二手段（17、27）の両方を操作するため、ならびに、それらをロック解除状態からロック状態にする、およびロック解除状態に戻すための操作要素（25）が該アダプター（5）に設けられており、該第一手段（9、26）および該第二手段（17、27）がいずれもロック解除状態にある状況から、該操作要素（25）をある方向に第一の距離にわたって動かすと該第二手段（17、27）がロック状態となり、該操作要素（25）を同じ方向により長い距離にわたって動かすと該第一手段（9、26）がロック状態となる、ことを特徴とする、前記保持容器。
【請求項２】
「German Slider」タイプの栓装置用の連結器に連結可能なカラー（20）が前記アダプターに設けられていることを特徴とする、請求項1に記載の保持容器。
【請求項３】
前記アダプター（5）および前記連結要素（4）が、該連結要素（4）を該アダプター（5）内の通路（19）に挿入することによって共に連結されるように設計されており、ここで該連結要素（4）は該アダプター（5）の下側からに限って該通路（19）に挿入可能である、ことを特徴とする、請求項1または2に記載の保持容器。
【請求項４】
前記操作要素（25）がリング形であり、
前記第一手段（9、26）が、以下の構成要素：
該操作要素（25）内の少なくとも1つの第一スロット（29）であって、その長さ方向にわたって該操作要素（25）の中心までの距離が異なる、第一スロット（29）；
該第一の溝（29）内に置かれる第一キャッチ（32）に接続されている少なくとも1つの第一ボルト（33）であって、該操作要素（25）を回すことによって該第一ボルト（33）に半径方向の動きが与えられる、第一ボルト（33）；ならびに
該第一ボルト（33）を受けるための、前記外部保持容器（2）における少なくとも1つの第一の切欠き（9）
を具備し、
前記第二手段（17、27）が、以下の構成要素：
該操作要素（25）内の少なくとも1つの第二スロット（20）であって、その長さ方向にわたって該操作要素（25）の中心までの距離が異なる、第二スロット（20）；
該第二スロット（30）内に置かれる第二キャッチ（35）に接続されている少なくとも1つの第二ボルト（34）であって、該操作要素（25）を回すことによって該第二ボルト（34）に半径方向の動きが与えられる、第二ボルト（34）；ならびに
該第二ボルト（34）を受けるための、前記連結要素（4）における少なくとも1つの第二の切欠き（17）
を具備する、
ことを特徴とする、請求項1〜3のいずれか一項に記載の保持容器。
【請求項５】
前記外部保持容器（2）が繊維強化プラスチック製または他のプラスチック製の保持容器ボディ（6）を具備し、前記口部（7）が、繊維強化プラスチック製または金属製、好ましくはスチール製、アルミニウム製、もしくは亜鉛合金製である、ことを特徴とする、請求項1〜4のいずれか一項に記載の保持容器。
【発明の詳細な説明】
【技術分野】
【０００１】
本発明は飲料保持容器に関する。
【０００２】
より具体的には、本発明はビール用ケグを対象とする。
【背景技術】
【０００３】
本発明は特に、再使用可能なビール用ケグに関連する。これらの再使用可能なビール用ケグは、使用後、一般的に残余ビールを含有しており、それゆえ徹底的に洗浄および消毒する必要がある。これは、いくつもの段階で行うことを必要とする、多量の作業である。
【０００４】
洗浄は自動化が可能であるが、これには高コストを伴う技術的に複雑な機械が必要であり、生産量が比較的少ない小規模醸造所にとっては特に、充填されたビール用ケグ1つあたりのコストがかなり大きくなる。
【０００５】
再使用可能な外部ケグを、単回使用が意図されそして本質的にプラスチック製である、比較的安価で取り替え可能な内部保持容器と共に用いることも可能である。
【０００６】
しかし、内部保持容器が挿入時に通過しなければならない、外部保持容器の口部が比較的小さいと、挿入時に内部保持容器が口部とこすれることになるため、内部保持容器が損傷しうるという問題が生じる。
【０００７】
このことは、内部保持容器を機械で挿入する場合に特に問題となる。
【０００８】
使用後は、再度、内部保持容器を外部保持容器から取り出さなくてはならない。多くの場合、内部保持容器はまだビールまたは噴射剤で部分的に満たされており、そしていずれの場合においても挿入時ほどコンパクトではない。ゆえに、比較的小さな口部を通して内部保持容器を除去する際に、かなりの力が印加されることになり、損傷が生じて、古くかつ汚染の可能性もあるビールによって外部保持容器が汚れるリスクが非常に高い。
【０００９】
しかし、内部保持容器の連結要素をできるだけ小さくすることが望ましい。なぜならば、一方では、内部保持容器は単回使用が意図されており、ゆえに使用する材料を少なくするためできるだけ小さくなければならないからである。さらに不都合なことに、加圧されるケグの力と、温度、湿度、およびUV曝露に関する多様な条件とに耐えられるよう、比較的質の高いプラスチックを使わなければならない。
【００１０】
そして他方では、使用中のビール用ケグ内の圧力により、大きな連結要素は変形する可能性があり、連結要素内にある遮断弁の機能が失われるかまたはよくても低下する可能性がある。
【００１１】
連結要素が大きいと、その保管および輸送に伴うコストもまた高くなる。
【００１２】
さらなる問題として、連結要素は、ビール栓装置に連結可能になっていなければならない。これについては標準化された多数の連結が公知である。ゆえに、連結要素を備えた、異なるモデルの内部保持容器を作ってストックしておかなければならず、このこともコスト上の不利益となる。
【発明の概要】
【００１３】
本発明の目的は、可撓性の内部保持容器を挿入するための口部が設けられている剛性の外部保持容器を具備し；口部上に設けられるように設計されておりかつ該内部保持容器の連結要素に連結されるように設計されているアダプターもまた具備し；この方式によって、口部上に直接設けられるには小さすぎる連結要素を備えた内部保持容器が、それにも関わらず口部上に設けられることが可能であり；外部保持容器およびアダプターには、それらの連結時にそれらの互いの位置をロックするための相補形の第一手段が備えられており、そのロックは繰り返し元に戻すことができる、すなわち損傷を伴わずに開けられそして再度適用されることができることを特徴とする、飲料保持容器を提供することによって、前述および他の不利点に対する解決を提供することである。
【００１４】
本明細書において、ロックされるとは、例えばネジ山の場合にネジの動きによっては互いの位置が変化することができず、この位置は、ロックが開けられるかまたは壊されるまでロックによって固定されることを意味する。
【００１５】
そのようなアダプターは、可撓性の内部保持容器の挿入を容易にする大きな口部と、コストおよび強度を考慮した小さな連結要素という、相反する要件を組み合わせることを可能にする。
【００１６】
外部保持容器とアダプターとが互いに対して動くことができると、使用中に内部保持容器に損傷を引き起こす可能性があり、保持容器が加圧されたときにアダプターが外部保持容器から緩んでくる危険性ももたらすが、そのような動きができないことはさらなる利点である。
【００１７】
消費者が標準的なツールで保持容器に変更を加えることができると、作動不良および危険性をもたらす可能性があるが、このロックが専用ツールでのみ取り外し可能であるなら、そのような変更も防ぐことができる。
【００１８】
好ましい態様において、外部保持容器は、繊維強化プラスチック製または他のプラスチック製の保持容器ボディを具備し、口部は金属製、好ましくはスチール製またはアルミニウム製である。
【００１９】
結果として、アダプターを介して内部保持容器に締め付け可能である必要がある、口部のネジ山には、反復使用による損傷もしくは摩耗、またはクリープに起因する変形が生じず、そして口部は、ビール用ケグ内に存在する圧力によってビール用ケグ内で欠陥が生じる開始点とならないよう、強化される。
【００２０】
そのような外部保持容器は、典型的に10〜20年間、そして可能性としてさらに長い、長期間の使用が意図されていることが考慮されなければならない。
【００２１】
好ましい態様において、保持容器は、連結要素が設けられている可撓性の内部保持容器であって、連結要素およびアダプターが共に連結され得るようになっている、内部保持容器も具備する。
【００２２】
好ましくは、アダプターには、「German Slider」タイプの栓装置用の連結器に連結可能なカラーが設けられている。
【００２３】
このことにより、同じアダプターで、異なる種類の栓装置用の連結器を用いることが可能となり、少なくともEU Sankey連結器およびUS Sankey連結器はいずれも内部保持容器上の適切な連結要素内に連結でき、その際カラーは介在せず、そして、German Sliderは前述のカラー上に連結することができる。
【００２４】
無論、内部保持容器上の連結要素は、異なる種類の栓装置用の連結器に適合していなければならない。
【００２５】
さらなる好ましい態様において、アダプターおよび連結要素は、連結要素をアダプター内の通路に挿入することによって共に連結されるように設計されており、その際、連結要素はアダプターの下側からに限ってアダプターに挿入可能である。
【００２６】
アダプターの下側とは、保持容器が組み立てられて直立位置になっているときの下側であり、換言すれば、アダプターの、外部保持容器に向いている側である。
【００２７】
この方式において、まず内部保持容器を下側からアダプターに連結することによって、加圧された連結要素がアダプターを通って押し出されることを防ぐことができる。
【００２８】
さらなる好ましい態様においては、連結要素およびアダプターには、それらの連結時にそれらの互いの位置をロックするための相補形の第二手段が備えられており、該ロックは繰り返し元に戻すことができる。
【００２９】
このことは、アダプターを外部保持容器上にロックすることに似た利点を有する。
【００３０】
さらなる好ましい態様において、アダプターには、第一手段および第二手段の両方を操作して、それらをロック解除状態からロック状態にする、およびロック解除状態に戻すための、操作要素が設けられている。
【００３１】
単一の操作要素を用いることにより、特に内部保持容器の取り替えが自動化されている場合に、アダプターの使用が容易になる。
【００３２】
好ましくは、アダプターには、第一手段および第二手段の両方を操作するための操作要素が設けられており、第一手段および第二手段がいずれもロック解除状態にある状況から、操作要素をある方向に第一の距離にわたって動かすと第二手段がロック状態になり、そして操作要素を同じ方向により長い距離にわたって動かすと第一手段がロック状態になる。
[本発明1001]
飲み物用の保持容器（1）であって、可撓性の内部保持容器（3）を挿入するための口部（7）が設けられている剛性の外部保持容器（2）を具備し；該口部（7）上に設けられるように設計されておりかつ該内部保持容器（3）の連結要素（4）に連結されるように設計されているアダプター（5）も具備し；この方式によって、該口部（7）上に直接設けられるには小さすぎる連結要素（4）を備えた内部保持容器（3）が、それにも関わらず該口部（7）上に設けられることが可能であり；該外部保持容器（2）および該アダプター（5）には、それらの連結時にそれらの互いの位置をロックするための相補形の第一手段（9、26）が備えられており、該ロックは繰り返し元に戻すことができる、ことを特徴とする、前記保持容器。
[本発明1002]
連結要素（4）が設けられている可撓性の内部保持容器（3）であって、該連結要素（4）および前記アダプター（5）が共に連結できるようになっている、内部保持容器（3）
も具備することを特徴とする、本発明1001の保持容器。
[本発明1003]
「German Slider」タイプの栓装置用の連結器に連結可能なカラー（20）が前記アダプターに設けられていることを特徴とする、本発明1002の保持容器。
[本発明1004]
前記アダプター（5）および前記連結要素（4）が、該連結要素（4）を該アダプター（5）内の通路（19）に挿入することによって共に連結されるように設計されており、ここで該連結要素（4）は該アダプター（5）の下側からに限って該通路（19）に挿入可能である、ことを特徴とする、本発明1002または1003の保持容器。
[本発明1005]
前記連結要素（4）および前記アダプター（5）には、それらの連結時にそれらの互いの位置をロックするための相補形の第二手段（17、27）が備えられており、ここで該ロックは繰り返し元に戻すことができる、ことを特徴とする、本発明1002〜1004のいずれかの保持容器。
[本発明1006]
前記第一手段（9、26）および前記第二手段（17、27）の両方を操作するため、ならびに、それらをロック解除状態からロック状態にする、およびロック解除状態に戻すための操作要素（25）が前記アダプター（5）に設けられていることを特徴とする、本発明1005の保持容器。
[本発明1007]
前記第一手段（9、26）および前記第二手段（17、27）の両方を操作するための操作要素（25）が前記アダプター（5）に設けられており、該第一手段（9、26）および該第二手段（17、27）がいずれもロック解除状態にある状況から、該操作要素（25）をある方向に第一の距離にわたって動かすと該第二手段（17、27）がロック状態となり、該操作要素（25）を同じ方向により長い距離にわたって動かすと該第一手段（9、26）がロック状態となる、ことを特徴とする、本発明1006の保持容器。
[本発明1008]
前記操作要素（25）がリング形であり、
前記第一手段（9、26）が、以下の構成要素：
該操作要素（25）内の少なくとも1つの第一スロット（29）であって、その長さ方向にわたって該操作要素（25）の中心までの距離が異なる、第一スロット（29）；
該第一の溝（29）内に置かれる第一キャッチ（32）に接続されている少なくとも1つの第一ボルト（33）であって、該操作要素（25）を回すことによって該第一ボルト（33）に半径方向の動きが与えられる、第一ボルト（33）；ならびに
該第一ボルト（33）を受けるための、前記外部保持容器（2）における少なくとも1つの第一の切欠き（9）
を具備し、
前記第二手段（17、27）が、以下の構成要素：
該操作要素（25）内の少なくとも1つの第二スロット（20）であって、その長さ方向にわたって該操作要素（25）の中心までの距離が異なる、第二スロット（20）；
該第二スロット（30）内に置かれる第二キャッチ（35）に接続されている少なくとも1つの第二ボルト（34）であって、該操作要素（25）を回すことによって該第二ボルト（34）に半径方向の動きが与えられる、第二ボルト（34）；ならびに
該第二ボルト（34）を受けるための、前記連結要素（4）における少なくとも1つの第二の切欠き（17）
を具備する、
ことを特徴とする、本発明1006または1007の保持容器。
[本発明1009]
前記外部保持容器（2）が繊維強化プラスチック製または他のプラスチック製の保持容器ボディ（6）を具備し、前記口部（7）が、繊維強化プラスチック製または金属製、好ましくはスチール製、アルミニウム製、もしくは亜鉛合金製である、ことを特徴とする、前記本発明のいずれかの保持容器。
【図面の簡単な説明】
【００３３】
本発明の特徴をよりわかりやすく示すことを意図して、添付の図面を参照しながら、以下に本発明に基づく飲料保持容器の好ましい態様を実施例によって説明するが、これらは限定的な性質のものではない。
【００３４】
【図１】組み立てられていない状態の、本発明に基づく保持容器の断面図である。
【図２】組み立てられた状態の、図1の保持容器の断面図である。
【図３】図2においてF3で示されている部分の拡大図である。
【図４】図1および図2の保持容器の一部品の詳細の斜視図である。
【図５】図1および図2の保持容器の別の部品の斜視図である。
【図６】保持容器が組み立てられた状態にあるときの、図5の部品のVI-VIおよびVII-VIIにおける断面図である。
【図７】保持容器が組み立てられた状態にあるときの、図5の部品のVI-VIおよびVII-VIIにおける断面図である。
【図８】図5の部品の構成要素の斜視図である。
【図９】図8の構成要素をF9から見た図である。
【図１０】図8の構成要素を、F10で示されているように、図9の反対側から見た図である。
【図１１】図5の部品の他の構成要素の斜視図である。
【図１２】図5の部品の他の構成要素の斜視図である。
【図１３】図8、図11、および図12の部品を、分解図として共に示した図である。
【発明を実施するための形態】
【００３５】
図面に示されている飲料保持容器はビール用ケグ1であり、外部保持容器2と、連結要素4が設けられている内部保持容器3と、アダプター5という主な構成要素で構成されている。
【００３６】
外部保持容器2は、保持容器ボディ6および口部7から本質的に構成されている。保持容器ボディは、HDPEの内層と、中間層としてのガラス繊維強化樹脂層と、HDPEの外層という、3つの層で作られている。
【００３７】
口部7は316鋼製であり、雌ネジ山が設けられている。口部7の周りにベースプレート8が設けられている。ベースプレート8に2つの切欠き9が作られている。
【００３８】
2つのネジ10がベースプレート8を通って保持容器ボディ6にネジ留めされ、その際、ネジ10のネジ頭11はベースプレート8より上に突出する。
【００３９】
内部保持容器3は、ビール用のライザーパイプ14がその中に設けられる、可撓性の二重バッグ12、13として構築される。内部保持容器3には、後述するように、内部保持容器3をアダプター5に連結できるようにするための連結要素4が設けられている。
【００４０】
図1および図2に示されているように、二重バッグ12、13は、新しい状態にあるとき、ライザーパイプ14の周りに折り畳まれかつ／または巻き付けられている。
【００４１】
ビールを含有するように意図されている内部バッグ12を閉じるか、または選択に応じてそれを供給パイプもしくはアウトレットパイプに接続できるようにするため；および、圧力媒体を含有するように意図されている、2つのバッグ12、13間の空間を閉じるか、または選択に応じてそれを圧力媒体の供給源もしくは環境空気に接続できるようにするため、連結要素4の中に弁が組み込まれる。
【００４２】
そのような弁は当業者に周知であり、本発明にとって特に重要なわけではないため、図面には示されていない。
【００４３】
連結要素4の外側には、2つの段状移行部15、16が設けられており、これにより、下から上に見ると、連結要素4の厚さが減少している。これら狭小部の1つ16は、V字型の先端が上に向いたV字型である。
【００４４】
連結要素4は、「European Sankey」タイプの栓装置用の連結器に連結されるように、その上部が装備されている。
【００４５】
連結要素4には、互いに直径の反対側に置かれかつ外側に開いている2つの長方形の切欠き17も設けられている。
【００４６】
特に図5〜7によって示されているように、アダプターは、その周りにリング形のロック機構が設けられている中央通路19を備えた管状の中央部で構成されている。アダプター5は本質的に繊維強化ナイロン製である。
【００４７】
管状の中央部の下側には、外部保持容器2の口部7のネジ山に嵌まる雄ネジ山が設けられている。管状の中央部の上部には、German Sliderタイプの栓装置用の連結器を連結できるようにするためのカラー20が設けられている。
【００４８】
中央管状部の内部は、下から上に見て段状になっている2つの狭小部21、22で構築され、そのうち1つの狭小部22は、V字型の先端が上に向いたV字型である。
【００４９】
リング形のロック機構は、いくつかの部品のハウジング23、およびその中に回転可能に付けられている操作リング25から本質的に構成される。この操作リング25は、2組のロック要素26、27を操作する。この実施例において、ロック要素26、27は、アダプターの他の部分とは対照的に316鋼製であるが、このことは必須ではない。
【００５０】
図8〜図10に詳しく示されている操作リング25は、ハウジング23の中に埋没しており、その外側には好適なツールのための把持用スロット28が設けられている。
【００５１】
操作リング25の内部には、操作リング25の中心までの距離がその長さ方向にわたって異なっている2組のスロット29、30が設けられている；すなわち、第一組のスロット29は、図10において時計回り方向に見ると、中間あたりから内向きに曲がって、その端部付近で中心までの距離が最短に達し、そして、第二組のスロット30は、反時計回り方向に見ると、第二スロット30の始まりから内向きに曲がっている。
【００５２】
留意点として、図9および図10は同じ構成要素のいずれかの側を示しているので、図10における時計回りは図9における反時計回りに対応する。
【００５３】
図11に示されている第一組のロック要素26は、第一キャッチ32と第一ボルト32とをその上に備えた小さなプレート31で構成される。第一キャッチ31は第一スロット29内に設けられている。
【００５４】
第二組のロック要素27は、第二ボルトとして作用するフラットバー34で構成され、その上に第二キャッチ35が設けられる。第二キャッチ35は第二スロット30内に設けられている。
【００５５】
ハウジング23の下側に、半リング形をした2つの第三スロット36が設けられている。
【００５６】
ビール用ケグ1の使用はシンプルであり、以下のとおりである。使用は、両組のロック要素26、27が、その最も外側の位置にある状況から始まる。
【００５７】
連結要素4とライザーパイプ14とを含む新しい内部保持容器3が、連結要素4がアダプター5の通路19に入るように、下側から導入される。二重バッグ12、13は、製造時、完全に空になるように作られ、そしてライザーパイプ14の周りにコンパクトに巻き付けられる。
【００５８】
ここで、アダプター5上のV字型の狭小部22と連結要素4のV字型の段状移行部16とが共に嵌まって、連結要素4をアダプター5内の望ましい位置に導く。
【００５９】
アダプター5上の狭小部21、22および連結要素4上の段状移行部15、16のおかげで、後にビール用ケグ1が使用中に加圧されたときにも、連結要素がアダプター5を通って押し出されることは不可能である。このことはビール用ケグ1の使用中の安全性にとって重要である。
【００６０】
次に、把持用スロット28内に嵌まる好適なツールを用いて、図8および図9においては時計回り、図10においては反時計回りに、操作リング25が約22.5°回される。
【００６１】
その結果、2つのキャッチ35が第二スロット30内でスライドして内向きに押される。次に、連結要素4がアダプター5内にロックされるように、フラットバー34すなわち第二ボルトが、連結要素4内の切欠き17に押し込まれる。
【００６２】
それから、二重バッグ12、13とライザーパイプ14とが、口部7を通って外部保持容器2の中にスライドされる。これは、口部7の直径が比較的大きいことによって、二重バッグ12、13が損傷するリスクを伴わずに行うことができる。
【００６３】
次に、アダプター5が、そこに締め付けられた内部保持容器4とともに、口部7内にネジ留めされる。ネジ留めする動きの最後に、アダプター5がそれ以上回ることができないよう、ネジ10のネジ頭11が第三スロット36の端部に対するエンドストップを形成するまで、ネジ頭11が第三スロット36を通ってスライドする。
【００６４】
この位置において、口部7のベースプレート8にある切欠き9と第一ボルト33とは、互いに対応する位置にある。次に、第一ボルト33がベースプレート8にある切欠き9に押し込まれるよう、第一キャッチ32が第一スロット29を通ってスライドしそして第一ロック要素26が内向きに押されるように、再度好適なツールを用いて、操作リングが再度、同じ方向に約22.5°回される。これでアダプター5が外部保持容器2にロックされる。
【００６５】
これで、充填設備を従来の方式で連結要素4および／またはアダプター5に接続でき、したがって内部保持容器3にビールを充填できる。ここにおいて、内部保持容器3は完全に新しいため、ビールが夾雑物で汚染されるリスクはない。これでビール用ケグ1が使用可能となる。
【００６６】
ビール用ケグは、空になったとき、まず汚染された残余ビールを汲み出し、そして必要であれば2つのバッグ12、13の間の空間を排気することによって、再使用されてもよい。
【００６７】
次に、上述の組立操作が逆の順序で行われるが、その際、もし2つのバッグ12、13の間の空間が排気されていなくても、アダプター5を内部保持容器3とともに外部保持容器2から短い距離にわたって引き出し、それから、残った噴射剤が排出されるようバッグ12、13に切れ目を作ることによって、内部保持容器3を容易に取り出すことができる。
【００６８】
次に内部保持容器3が廃棄される。
【００６９】
これで外部保持容器2とアダプター5は再使用できる状態になる。原理上、それらは残余ビールと接触しておらず、そして次の使用サイクルにおいて新鮮なビールと接触することもないので、洗浄の必要がない。とはいえ、無論、洗浄が望ましいと考えられるのであれば洗浄が行われてもよい。
【００７０】
本発明は、実施例として説明された態様および図面に示された態様に決して限定されることはなく、本発明に基づく保持容器は、本発明の範囲から逸脱することなく、すべての種類の形態および寸法において実現され得る。
【図１】
0006667616.tif 000002
【図２】
0006667616.tif 000003
【図３】
0006667616.tif 000004
【図４】
0006667616.tif 000005
【図５】
0006667616.tif 000006
【図６】
0006667616.tif 000007
【図７】
0006667616.tif 000008
【図８】
0006667616.tif 000009
【図９】
0006667616.tif 000010
【図１０】
0006667616.tif 000011
【図１１】
0006667616.tif 000012
【図１２】
0006667616.tif 000013
【図１３】
0006667616.tif 000014